(57)【要約】【課題】ランプの熱によりランプドアの固定に支障が生じるのを防止するとともに、ランプドアの着脱を容易に行なえるプロジェクタを提供する。【解決手段】筐体１０に形成されたランプ交換用の開口部２を覆うランプドア２０が着脱自在に取り付けられたプロジェクタにおいて、ランプドア２０は突出部２４〜２７を備える。突出部２６は、先端部下側にフックが形成されている。筐体１０は、突出部２６を受ける受け部６と、突出部２７を受ける受け部８とを備える。ランプドア２０を筐体１０に取り付けた状態で、ランプドア２０の突出部２６を筐体１０の受け部６の上面で受けるとともに、この突出部２６に形成されたフックを受け部６に係合させる。また、ランプドア２０の突出部２７を筐体１０の受け部８の上面で受け、突出部２４，２５を筐体１０の開口部２の周縁３，４の上面で受ける。【選択図】図１
2007279169.tif 000002
【特許請求の範囲】
【請求項１】
投影用のランプが収納される筐体を備え、この筐体の底壁のランプに対応する位置にランプ交換用の開口部が形成され、この開口部を覆うランプドアが前記筐体に対して着脱自在に取り付けられたプロジェクタにおいて、
前記ランプドアは、前記筐体の開口部を覆う平板状のプレート部と、このプレート部の周囲の一部に形成された壁部とを備え、
前記壁部の内側には、所定間隔を隔てて第１の突出部と第２の突出部が設けられ、第１の突出部は、第２の突出部に比べてランプから離れた位置に設けられているとともに、その先端部下側にフックが形成されており、
前記プレート部の第１、第２の突出部と反対側には、単数または複数の第３の突出部が設けられており、
前記筐体は、前記底壁の周囲に形成された側壁に、前記第１の突出部が挿入される第１の透孔と、この第１の透孔に隣接して設けられた第１の受け部と、前記第２の突出部が挿入される第２の透孔と、この第２の透孔に隣接して設けられた第２の受け部とを備え、
前記ランプドアを前記筐体に取り付けた状態で、前記第１の透孔に挿入されたランプドアの第１の突出部を前記第１の受け部の上面で受けるとともに、当該第１の突出部に形成された前記フックが第１の受け部の側面に係合し、前記第２の透孔に挿入されたランプドアの第２の突出部を前記第２の受け部の上面で受け、ランプドアの第３の突出部を前記開口部の周縁の上面で受けることを特徴とするプロジェクタ。
【請求項２】
投影用のランプが収納される筐体を備え、この筐体の底壁のランプに対応する位置にランプ交換用の開口部が形成され、この開口部を覆うランプドアが前記筐体に対して着脱自在に取り付けられたプロジェクタにおいて、
前記ランプドアは、第１の突出部と、この第１の突出部と所定間隔を隔てて設けられた第２の突出部と、第１および第２の突出部と反対側に設けられた第３の突出部とを備え、
前記第１の突出部は、先端部下側にフックが形成されており、
前記筐体は、前記第１の突出部を受ける第１の受け部と、前記第２の突出部を受ける第２の受け部とを備え、
前記ランプドアを前記筐体に取り付けた状態で、ランプドアの第１の突出部を前記第１の受け部の上面で受けるとともに、当該第１の突出部に形成された前記フックを第１の受け部に係合させ、ランプドアの第２の突出部を前記第２の受け部の上面で受け、ランプドアの第３の突出部を前記開口部の周縁の上面で受けることを特徴とするプロジェクタ。
【請求項３】
請求項２に記載のプロジェクタにおいて、
前記第１の突出部は、第２の突出部に比べてランプから離れた位置に設けられていることを特徴とするプロジェクタ。
【発明の詳細な説明】
【技術分野】
【０００１】
本発明は、プロジェクタにおけるランプドアの取り付け構造に関するものである。
【背景技術】
【０００２】
一般にプロジェクタは、光源となるランプ、液晶やＤＭＤ（デジタル・マイクロミラー・デバイス）などの画像形成素子、ランプから発せられる光を画像形成素子に導く光学系、画像形成素子で形成された画像をスクリーン上に投影するレンズなどを備えており、これらの部品が筐体内に収納されている。そして、筐体には、ランプを交換するための開口部が設けられており、この開口部を覆うランプドアが筐体に対して着脱自在に取り付けられる。後掲の特許文献１〜４には、このようなランプドアを備えたプロジェクタが記載されている。
【０００３】
特許文献１のプロジェクタでは、ランプドアの一端が筐体に回動自在に取り付けられており、他端にはランプドアを閉じたときにランプハウスの係止部と係止するフックが設けられている。特許文献２および特許文献３のプロジェクタでは、ランプドアの４箇所にフックが設けられており、これらのフックによりランプドアが筐体に着脱自在に取り付けられる。特許文献４のプロジェクタでは、ランプボックスに設けられた係止部材と係止するフックがランプドアに設けられている。
【０００４】
【特許文献１】実用新案登録第３０９２１６１号公報
【特許文献２】特開２００４−３４７７８９号公報
【特許文献３】特開２００５−１３４５７５号公報
【特許文献４】特開２００２−３３３６６８号公報
【発明の開示】
【発明が解決しようとする課題】
【０００５】
上記各特許文献にも示されているように、従来のプロジェクタのランプドアは、フックにより筐体に着脱自在に取り付けられるのが一般的である。この場合に問題となるのは、ランプの発熱によるフックの変形である。ランプドアは合成樹脂からなり、フックが一体成形により設けられるが、プロジェクタの動作中はランプが非常な高温となるため、ランプの熱によりフックが変形を起こす。フックが変形すると、フックと筐体との係止がはずれてランプドアが脱落したり、逆に、フックと筐体との係止が強くなりすぎて、ランプドアを筐体から取り外せなくなったりすることがある。特に、特許文献４のように、ランプドアが筐体の下側に取り付けられるプロジェクタにおいては、フックの変形によりランプドアが落下するという問題がある。
【０００６】
また、フックの係止によりランプドアを筐体に取り付ける構造の場合、ランプドアを取り外すには、フックの係止を解除するために、指先で強い力を加えたり、ドライバのような工具を使ってランプドアをこじ開けたりする必要があり、ランプ交換時の作業に不便をきたしている。
【０００７】
本発明は、上述した問題点に鑑み、ランプの熱によりランプドアの固定に支障が生じるのを防止するとともに、ランプドアの着脱を容易に行なえるプロジェクタを提供することを目的とする。
【課題を解決するための手段】
【０００８】
本発明に係るプロジェクタは、投影用のランプが収納される筐体を備え、この筐体の底壁のランプに対応する位置にランプ交換用の開口部が形成され、この開口部を覆うランプドアが筐体に対して着脱自在に取り付けられたプロジェクタであって、ランプドアは、第１の突出部と、この第１の突出部と所定間隔を隔てて設けられた第２の突出部と、第１および第２の突出部と反対側に設けられた第３の突出部とを備える。第１の突出部は、先端部下側にフックが形成されている。また、筐体は、第１の突出部を受ける第１の受け部と、第２の突出部を受ける第２の受け部とを備える。そして、ランプドアを筐体に取り付けた状態で、ランプドアの第１の突出部を筐体の第１の受け部の上面で受けるとともに、この第１の突出部に形成されたフックを第１の受け部に係合させる。また、ランプドアの第２の突出部を筐体の第２の受け部の上面で受け、第３の突出部を筐体の開口部の周縁の上面で受ける。
【０００９】
本発明においては、ランプドアに設けられた第１および第２の突出部を、筐体に設けられた第１および第２の受け部の上面で受け、また、ランプドアに設けられた第３の突出部を、筐体の開口部周縁の上面で受けることによって、ランプドアは下方への落下を阻止される。また、第１の突出部に形成されたフックを第１の受け部に係合させることによって、ランプドアは側方への抜けを阻止される。このため、ランプドアが安定して筐体に保持されるとともに、従来のようにランプドアの筐体への固定を全てフックだけで行なう場合に比べて、フックの熱変形による影響が軽減され、ランプドアが脱落したり取り外せなくなったりするのを防止できる。
【００１０】
また、ランプドアにおける第１の突出部のフックは、下側に向かって形成されているため、ランプドアを下側から押し上げると、第１の突出部のフックと第１の受け部との係合が解除される。そして、この係合が解除された状態で、ランプドアを側方に引くことで、筐体からランプドアを取り外すことができるので、従来のように指先で強い力を加えてフックの係合を解除したり、工具を使ってランプドアをこじ開けたりしなくても、ランプドアを押し上げて側方に引くだけで、簡単にランプドアの取り外しができ、ランプ交換時の作業がやり易くなる。
【００１１】
本発明の好ましい実施形態においては、ランプドアの第１の突出部は、第２の突出部に比べてランプから離れた位置に設けられる。これによると、第１の突出部に設けられているフックがランプの熱の影響を受けにくくなり、フックの変形を防止して、ランプドアの安定した取り外しおよび取り付けが可能となる。
【００１２】
また、本発明の典型的な実施形態では、ランプドアは、筐体の開口部を覆う平板状のプレート部と、このプレート部の周囲の一部に形成された壁部とを備えている。壁部の内側には、所定間隔を隔てて第１の突出部と第２の突出部が設けられ、第１の突出部は、第２の突出部に比べてランプから離れた位置に設けられているとともに、その先端部下側にフックが形成されている。また、プレート部の第１、第２の突出部と反対側には、単数または複数の第３の突出部が設けられている。一方、筐体は、底壁の周囲に形成された側壁に、第１の突出部が挿入される第１の透孔と、この第１の透孔に隣接して設けられた第１の受け部と、第２の突出部が挿入される第２の透孔と、この第２の透孔に隣接して設けられた第２の受け部とを備えている。ランプドアを筐体に取り付けた状態では、筐体の第１の透孔に挿入されたランプドアの第１の突出部を筐体の第１の受け部の上面で受けるとともに、第１の突出部に形成されたフックが第１の受け部の側面に係合する。また、筐体の第２の透孔に挿入されたランプドアの第２の突出部を筐体の第２の受け部の上面で受け、ランプドアの第３の突出部を筐体の開口部の周縁の上面で受ける。
【発明の効果】
【００１３】
本発明によれば、フックの熱変形の影響を軽減して、ランプドアが脱落したり取り外し不能になったりするのを防止できるとともに、ランプ交換時にランプドアの取り外しを容易に行なうことができる。
【発明を実施するための最良の形態】
【００１４】
図１は、本発明の実施形態に係るプロジェクタの筐体とランプドアを示した分解斜視図である。１０は樹脂からなるプロジェクタの筐体であって、ここでは筐体の一部が示されている。筐体１０は、底壁１ａと、この底壁１ａの周囲に形成された側壁１ｂ，１ｃとを備えている。図では側壁１ｂ，１ｃは、下半分のみが図示されている。筐体１０の内部には、図の破線Ｌで示す位置に、図示しない投影用のランプが収納される。底壁１ａのランプに対応する位置には、ランプ交換用の開口部２が形成されている。２０はこの開口部２を覆うランプドアであって、筐体１０と同じ樹脂からなり、矢印Ｘの方向から筐体１０に着脱自在に取り付けられる。
【００１５】
ランプドア２０は、開口部２を覆う平板状のプレート部２１と、このプレート部２１の周囲の２辺に形成された壁部２２，２３とを備えている。壁部２２の内側には、突出部２６（第１の突出部）と突出部２７（第２の突出部）とが、所定間隔を隔てて一体に形成されている。突出部２６は突出部２７に比べてランプから離れた位置に設けられ、その先端部下側には、後述するフックが形成されている。一方、プレート部２１には、突出部２６，２７と反対側に、一対の突出部２４，２５（第３の突出部）が一体に形成されている。突出部２４〜２７の詳細な構造については後で説明する。
【００１６】
筐体１０の側壁１ｃには、ランプドア２０の突出部２６が挿入される透孔５（第１の透孔）が形成されており、この透孔５に隣接して楔形の受け部６（第１の受け部）が形成されている。また、側壁１ｃには、ランプドア２０の突出部２７が挿入される透孔７（第２の透孔）が形成されており、この透孔７に隣接して楔形の受け部８（第２の受け部）が形成されている。
【００１７】
図２は、ランプドア２０を筐体１０に取り付けた状態を示す斜視図である。なお、１ｄおよび１ｅは、側壁１ｂ，１ｃにまたがって設けられた側壁である。図２からわかるように、ランプドア２０を取り付けた状態では、ランプドア２０のプレート部２１が開口部２を下側から覆い、開口部２に連なる切欠き部２ａをランプドア２０の壁部２３が覆う。また、ランプドア２０に形成された突出部２６が、筐体１０の透孔５に挿入され、受け部６がこの突出部２６を受ける。このとき、突出部２６に形成されたフック（後述）が受け部６と係合する。突出部２７は筐体１０の透孔７に挿入され、受け部８がこの突出部２７を受ける。さらに、ランプドア２０に形成された突出部２４を開口部２の周縁３の上面で受け、ランプドア２０に形成された突出部２５を開口部２の周縁４の上面で受ける。
【００１８】
図３は、下半分の側壁１ｂ，１ｃに上半分の側壁１ｆ，１ｇを連結して、カバー１ｈを装着した筐体１０の全体図を示している。この筐体１０の内部には、前述したランプのほか、ＤＭＤなどの画像形成素子や、ランプの光を画像形成素子に導く光学系や、画像をスクリーン上に投影するためのレンズなどが収納される。
【００１９】
図４（ａ）は、ランプドア２０に設けられた突出部２６の拡大斜視図、図４（ｂ）は、筐体１０に設けられた透孔５および受け部６の拡大斜視図である。図４（ａ）において、突出部２６は、ランプドア２０の壁部２２と一体的に形成されていて、プレート部２１（図１）と平行な基部２６ａと、この基部２６ａの上面に間隔を置いて一体形成された３つのリブ２６ｂと、基部２６ａの先端部下側に設けられたフック２６ｃとを備えている。図２のようにランプドア２０を筐体１０に取り付けると、図４（ｂ）に示すように、突出部２６が透孔５に挿入され、突出部２６の基部２６ａの下面が受け部６の上面６ｂに支持される。また、突出部２６の先端に形成されたフック２６ｃが、受け部６の側面６ａの上端部と係合する。６ｃは受け部６に形成された凹部である。この凹部６ｃは本発明にとって必須ではなく、省略してもよい。
【００２０】
図５（ａ）は、ランプドア２０に設けられた突出部２７の拡大斜視図、図５（ｂ）は、筐体１０に設けられた透孔７および受け部８の拡大斜視図である。図５（ａ）において、突出部２７は、ランプドア２０の壁部２２と一体的に形成されていて、プレート部２１（図１）と平行な基部２７ａと、この基部２７ａの上面に間隔を置いて一体形成された３つのリブ２７ｂとを備えている。図２のようにランプドア２０を筐体１０に取り付けると、図５（ｂ）に示すように、突出部２７が透孔７に挿入され、突出部２７の基部２７ａの下面が受け部８の上面８ｂに支持される。本実施形態では、突出部２７には、突出部２６のようなフック２６ｃが設けられていないので、突出部２７は受け部８で受けられるだけであり、受け部８の側面８ａとは係合しない。
【００２１】
図６は、ランプドア２０に設けられた突出部２４，２５の拡大斜視図である。突出部２４は、ランプドア２０のプレート部２１と一体的に形成されていて、プレート部２１と平行な基部２４ａと、この基部２４ａの上面に間隔を置いて一体形成された３つのリブ２４ｂとを備えている。また、基部２４ａとプレート部２１との間には、溝部２４ｃが形成されている。突出部２５も、ランプドア２０のプレート部２１と一体的に形成されていて、プレート部２１と平行な基部２５ａと、この基部２５ａの上面に間隔を置いて一体形成された３つのリブ２５ｂとを備えている。また、基部２５ａとプレート部２１との間には、溝部２５ｃが形成されている。
【００２２】
図６において、ランプドア２０を矢印Ａ方向に移動させ、突出部２４の溝部２４ｃを、筐体１０における開口部２の周縁３に嵌合させるとともに、突出部２５の溝部２５ｃを、開口部２の周縁４に嵌合させると、図７に示したように、突出部２４の基部２４ａが開口部２の周縁３の上面で支持され、突出部２５の基部２５ａが開口部２の周縁４の上面で支持される。この状態が図２に示した状態であり、このとき、突出部２４，２５と反対側にある突出部２６，２７は、それぞれ図４（ｂ）、図５（ｂ）で示したように、透孔５，７に挿入され受け部６，８で支持される。
【００２３】
図８は、ランプドア２０を筐体１０に取り付けた状態における突出部２６付近の断面図である。前述したように、この状態では、突出部２６の基部２６ａが受け部６の上面６ｂで支持されているとともに、下向きに形成されたフック２６ｃが、受け部６の側面６ａの上端部と係合している。このフック２６ｃの係合によって、ランプドア２０が図の右方向へ抜けるのが阻止される。
【００２４】
以上のようなランプドア２０の取り付け構造によれば、ランプドア２０に設けられた突出部２６，２７を、筐体１０に設けられた受け部６，８の上面６ｂ，８ｂで受け、また、ランプドア２０に設けられた突出部２４，２５を、開口部２の周縁３，４の上面で受けることによって、ランプドア２０は下方への落下を阻止される。また、突出部２６に形成されたフック２６ｃを受け部６の側面６ａに係合させることによって、ランプドア２０は側方への抜けを阻止される。このため、ランプドア２０を安定して筐体１０に保持することができる。また、突出部２４〜２７のうち、フック２６ｃが設けられているのは突出部２６だけであり、他の突出部２４，２５，２７にはフックが設けられていないので、ランプドア２０の筐体１０への固定を全てフックだけで行なう場合に比べて、フックの熱変形による影響が軽減され、ランプドア２０が脱落したり取り外せなくなったりするのを防止できる。
【００２５】
さらに、フック２６ｃを有する突出部２６は、突出部２７に比べてランプから離れた位置に設けられるので、フック２６ｃがランプの熱の影響を受けにくくなり、フック２６ｃの変形を防止して、ランプドア２０の安定した取り外しおよび取り付けが可能となる。
【００２６】
また、図８でも示したように、突出部２６のフック２６ｃは下側に向かって形成されているので、図８の状態からランプドア２０を取り外すには、図９のように、ランプドア２０を下側から矢印Ｂ方向に押し上げると、フック２６ｃと受け部６との係合が解除される。また、前述のように、突出部２７は受け部８の上面８ｂで受けられているだけであり、突出部２４，２５も開口部２の周縁３，４の上面で受けられているだけであるから、突出部２６のフック２６ｃの係合が解除された状態で、図１０のようにランプドア２０を矢印Ｃ方向に引くと、筐体１０からランプドア２０を取り外すことができる。このため、従来のように指先で強い力を加えてフックの係合を解除したり、ドライバ等の工具を使ってランプドアをこじ開けたりしなくても、ランプドア２０を押し上げて側方に引くだけで、簡単にランプドア２０の取り外しができ、ランプ交換時の作業がやり易くなる。
【００２７】
上述した実施形態では、突出部２６のフック２６ｃを受け部６の側面６ａに係合させたが、フック２６ｃを受け部６に形成した切欠き部や凹部など（図示省略）に係合させてもよい。
【００２８】
また、上述した実施形態では、突出部２６にのみフック２６ｃを設けたが、突出部２７にも、フック２６ｃと同様のフックを設けることは可能である。このようにした場合は、ランプドア２０の脱落をより確実に防止することができる。
【００２９】
さらに、上述した実施形態では、突出部２６，２７と反対側に１対の突出部２４，２５を設けているので、ランプドア２０は合計４箇所で筐体１０に支持され、安定した取り付け状態が実現できるが、突出部２４，２５は１つに統合してもよい。
【図面の簡単な説明】
【００３０】
【図１】本発明の実施形態に係るプロジェクタの筐体とランプドアを示した分解斜視図である。
【図２】ランプドアを筐体に取り付けた状態を示す斜視図である。
【図３】カバーを装着した筐体の全体図である。
【図４】第１の突出部、第１の透孔および第１の受け部の拡大斜視図である。
【図５】第２の突出部、第２の透孔および第２の受け部の拡大斜視図である。
【図６】第３の突出部の拡大斜視図である。
【図７】第３の突出部の拡大斜視図である。
【図８】第１の突出部付近の断面図である。
【図９】ランプドアの取り外しを説明する断面図である。
【図１０】ランプドアの取り外しを説明する断面図である。
【符号の説明】
【００３１】
１ａ  底壁
１ｂ〜１ｇ  側壁
２    開口部
３，４  開口部の周縁
５    透孔
６    受け部
６ａ  側面
６ｂ  上面
７    透孔
８    受け部
８ａ  側面
８ｂ  上面
１０  筐体
２０  ランプドア
２１  プレート部
２２，２３  壁部
２４，２５，２６，２７  突出部
２６ｃ  フック
【図１】
2007279169.tif 000003
【図２】
2007279169.tif 000004
【図３】
2007279169.tif 000005
【図４】
2007279169.tif 000006
【図５】
2007279169.tif 000007
【図６】
2007279169.tif 000008
【図７】
2007279169.tif 000009
【図８】
2007279169.tif 000010
【図９】
2007279169.tif 000011
【図１０】
2007279169.tif 000012